(57)【特許請求の範囲】
【請求項１】
蓋本体と、その内面に着脱自在に係合される内蓋とからなり、上記蓋本体内面に上記内蓋の嵌合凹所を設け、上記蓋本体の前部に設けたスライドフック又は揺動フックの後端部を上記嵌合凹所の前部内周面に出没自在に突き出して可動係合部を構成し、上記嵌合凹所後部の内周面に外方に突き出した左右一対のコーナー部を形成すると共に、そのコーナー部に迫り出した係合壁を設けて係合壁付き係合部を構成し、上記係合壁の高さをスライドフック又は揺動フックのストローク方向にそれより大きく形成した炊飯器の蓋において、上記内蓋を係合壁付き係合部に先に係合しその後に可動係合部に係合させるように内蓋の係合の先後を定め、上記可動係合部を左右２ヵ所に設け、その２ヵ所の中間部に内蓋の前部突部が係合される下面開放の左右方向位置決め部を設け、該左右方向位置決め部の両側辺により前部突部の両側辺の左右方向の位置決めを行うようにしたことを特徴とする炊飯器の蓋。
【発明の詳細な説明】
【０００１】
【発明の属する技術分野】
この発明は炊飯ジャーを含む炊飯器一般の蓋に関し、特に内蓋の取付け構造に関するものである。
【０００２】
【従来の技術】
炊飯器の蓋は、図８（ａ）（ｂ）に示すように、蓋本体３１とその内面に着脱自在に取付けられる内蓋３２とにより構成される（例えば、特許第２９０９４６４号公報参照）。上記蓋本体３１の前部に炊飯器本体に係脱されるスライドフック３３が設けられ、そのスライドフック３３をスプリング３５により後方へ付勢する。蓋本体３１の内面には内蓋３２が嵌合される嵌合凹所４０が設けられ、スライドフック３３の後端部がその嵌合凹所４０の内周面に出没して可動係合部３６を構成する。上記の可動係合部３６に内蓋３２の前端凸部３７が係合される。
【０００３】
なお、スライドフック３３の前端部が炊飯器本体に取付けられたフックレバー３８に係脱自在に係合される。
【０００４】
上記の可動係合部３６と協同して上記内蓋３２を保持する係合壁付き係合部４６、４６が蓋本体３１の後部に設けられる。この係合壁付き係合部４６、４６は、前記の嵌合凹所４０の外方に四角形に突き出した部分の左右２ヵ所のコーナー部と、そのコーナー部上に迫り出した係合壁３９により構成される。上記各係合壁付き係合部４６は、そのコーナー部の共通の壁により前後方向の位置決め壁４１と、左右両側において左右方向位置決め壁４２、４２が形成される。
【０００５】
一方、内蓋３２の前部には前記のスライド係合部３６に係合される前述の前部凸部３７が設けられ、後部には係合壁付き係合部４６に係合される四角形の後部凸部４３が設けられる。後部凸部４３の両側部に前記の前後方向位置決め壁４１と左右方向位置決め壁４２に沿った位置決め基準辺４１’と４２’、４２’が設けられる。
【０００６】
上記の左右位置決め壁４２、４２間の間隔Ａは、後部凸部４３を係合し易くするために、比較的大きく形成されている。また、可動係合部３６における係脱のための前後方向のストロークをＳ１  で、また係合壁３９の前後方向の長さをＳ２  で表す。Ｓ１  ＜Ｓ２  の関係に設定される。
【０００７】
上記の内蓋３２を蓋本体３１に取り付ける際は、後部凸部４３を先に係合壁付き係合部４６、４６に係合させる。この場合の係合が容易にできるように、或いは後部凸部４３を係合させるためのねらいが付けやすように、前記の間隔Ａは比較的大きく設定される。その係合の後に前部凸部３７を可動係合部３６に係合させる。
【０００８】
上記の係合手順の前後が逆であると、先に係合させた前部凸部３７がＳ１  だけしか前進しないので、後部凸部４３がＳ１  より大きいＳ２  の高さを持った係合壁３９に干渉して係合壁付き係合部４６に係合させることができない。
【０００９】
【発明が解決しようとする課題】
上記の内蓋３２の左右方向の位置決めについて見ると次の通りである。即ち、内蓋３２の前部においては前部凸部３７がスライドフック３３の後端面の可動係合部３６に係合されているが、スライドフック３３は前後方向へのスライドが自由にできるようにするために、左右方向に所要の隙間（いわゆる、ガタ）が設けられる。従って、このスライドフック３３による内蓋３２の左右方向の位置決め精度は高くない。
【００１０】
また、後部凸部４３と左右位置決め壁４２、４２とによる位置決め精度は、前述の間隔Ａが大きいため成形時の樹脂の収縮に伴う寸法誤差が大きい。このため、ここにおいても高い位置決め精度を得ることができない。
【００１１】
内蓋３２の左右方向への位置決め精度が低いと、内蓋３２とこれによって閉鎖される鍋４５とのシール性が低下し、また、内蓋３２の外れ、位置ずれによる見栄えの悪さ等の問題を引き起こす要因となる。
【００１２】
そこで、この発明は蓋本体に対する内蓋の位置決め精度、特に左右方向の位置決め精度を高めて上記のような問題点を解消することを課題とする。
【００１３】
【課題を解決するための手段】
上記の課題を解決するために、この発明は、蓋本体と、その内面に着脱自在に係合される内蓋とからなり、上記蓋本体内面に上記内蓋の嵌合凹所を設け、その嵌合凹所の内周面に上記内蓋を係合する前後２ヵ所の係合部を設け、その各係合部に内蓋を係合する際の順位に先後を定めた炊飯器の蓋において、上記内蓋の左右方向位置決め部を上記順位が先になる係合部以外の上記嵌合凹所の内周面に設けた構成を採用した。
【００１４】
上記の構成の炊飯ジャーの蓋において、先に係合させる係合部は、その係合を容易にしたり、係合時のねらいやすさ等の操作性を考慮して左右方向の間隔が広く形成されるため、その係合部に左右方向位置決め部を設けても高い位置決め精度がえられない。そのため、この発明においては、先に係合させる係合部以外の嵌合凹所内周面に左右方向位置決め部を設けることとした。そうすれば、操作性を考慮する必要がないので、左右方向位置決め部を狭い間隔で形成することができる。その間隔が狭い程樹脂の成形精度が高いので位置決め精度も高くなる。
【００１５】
前記のように、蓋本体の前後２ヵ所の係合部に内蓋を係合する際の順位について先後を定めなければならない構成には次の２通りがある。
【００１６】
その第１の構成は、いずれか一方の係合部が前後方向に所定のストロークでスライド又は揺動する可動係合部であり、他方の係合部がそのストロークより大きい係合壁を有する係合壁付き係合部である場合である。この場合は、内蓋を係合壁付き係合部に先に係合し、その後に可動係合部に係合させるという順序に従わなければ内蓋を係合させることができない。
【００１７】
第２の構成は、上記とは大小関係が逆の場合であり、係合壁付き係合部の係合壁が、可動係合部のストロークより小さい場合である。この場合は、内蓋を可動係合部に先に係合し、その後に係合壁付き係合部に係合させるという順序に従わなければ内蓋を係合させることができない。
【００１８】
上記の可動係合部の一層具体的な構成としては、蓋本体の内面に形成された内蓋の嵌合凹所の内周面にスライドフックの後端部を出没自在に突き出した構成がある。また係合壁付き係合部の一層具体的な構成としては、上記嵌合凹所の内周面に外方に突き出した左右一対のコーナー部を形成すると共に、そのコーナー部に迫り出した係合壁を設けた構成がある。
【００１９】
なお、上記の左右方向位置決め部は必ずしも可動係合部に接近して設ける必要はないが、可動係合部の両側に設けたり、可動係合部を左右２ヵ所に設け、その２ヵ所の中間部に左右方向位置決め部を設ける構成が一般的である。
【００２０】
【発明の実施の形態】
以下この発明の第１実施形態を添付の図１から図５に基づいて説明する。図１に示すように、実施形態の炊飯ジャーの蓋１は、従来の場合と同様に、蓋本体２とその内面に着脱自在に取付けられた内蓋３とにより構成される。蓋本体２はヒンジ４（図３参照）によりジャー本体５に開閉自在に取付けられ、内蓋３はジャー本体５に収納された鍋６を閉鎖する。
【００２１】
上記の蓋本体２は樹脂の成形品であり、その前部にスライドフック７が前後方向にスライド自在に取付けられ、またスライドフック７の先端部がジャー本体５のフックレバー８に係脱自在に係合される。スライドフック７は蓋本体２に内蔵されたスプリング９（図３参照）により後退方向に付勢され、その後端部に可動係合部１１が設けられ、内蓋３の前端部に設けられた前部凸部１２（図２、図４参照）が係脱自在に係合される。この前部凸部１２が可動係合部１１に対し係脱する場合のストロークをＳ１  （図２参照）で示す。このストロークＳ１  は、前部凸部１２を係脱するに必要な大きさがあればよいので、微小なもので足りる。
【００２２】
上記の内蓋３は、蓋本体２の内部に設けられた蓋ヒーター１３（図３参照）の熱を鍋６側に放散させる金属製の放熱板１４を有し、その放熱板１４の外周にシール部材１５を挟んで樹脂製の放熱板リング１６が取付けられる（図４参照）。シール部材１５は鍋６のフランジ１７に密着される。上記の放熱板リング１６の外周面に前記の前部凸部１２が設けられ、その前部凸部１２の左右両側に一対の前部突片１８、１８が設けられる。また、内蓋３の後端部の左右両側に、Ｌ形に突き出した後部突片１９、１９が設けられ、さらに、左右両側部に取手２１、２１が設けられる。
【００２３】
なお、上記の後部突片１９、１９間に、放熱板リング１６の一部を直線状に形成した切欠き辺２０が設けられる（図２参照）。
【００２４】
蓋本体２の内面には、図１に示すように、内蓋３の嵌合凹所２２が設けられ、その嵌合凹所２２の内周面に上記の前部突片１８、１８と係合される位置決め部２３、２３がスライドフック７の両側に設けられる。これらの各位置決め部２３は、下面（ジャー本体５側の面）が開放され、両側辺が左右方向位置決め壁２３ａ，２３ｂとなっている（図２参照）。その幅、即ち左右方向位置決め壁２３ａ，２３ｂ間の間隔を図２においてａで示す。内側の位置決め壁２３ｂに位置決め機能をもたせず、両方の外側の位置決め壁２３ａ（両者の間隔をｂで示す。）に位置決め機能を持たせてもよい。
【００２５】
また、上記嵌合凹所２２の内周面の後部両側部にＬ形コーナー部と係合壁２４’よりなる係合壁付き係合部２４、２４が形成される。各係合壁付き係合部２４は、Ｌ形コーナー部において前後方向位置決め壁２４ａ（図２参照）を有する。上記のＬ形コーナー部には左右両側壁２４ｂが形成されるが、左右両側壁２４ｂの間隔ｃは内蓋３の係合時の操作性を考慮して広く（前記の左右方向位置決め壁２３ａ，２３ｂ間の間隔ａ、又は間隔ｂより相当広い）形成されているので、樹脂成形時の精度が出にくい。このため、左右両側壁２４ｂは前部の左右方向位置決め壁２３ａ、２３ｂに対して補助的な位置決め壁である。上記の係合壁付き係合部２４の係合壁２４’の内方に係合凹所２４ｃが設けられる。
【００２６】
前記の係合壁２４’の高さをＳ２  で示す。この高さＳ２  と前記のストロークＳ１  との関係はＳ１  ＜Ｓ２  の関係に設定される。
【００２７】
その他、嵌合凹所２２の内周面には前記の取手２１、２１に対応した凹所２５、２５が設けられ、また係合部２４、２４間に、前記内蓋３の切欠き辺２０に沿った直線部２０’が設けられる。
【００２８】
なお、可動係合部１１を内蓋３側に設け、これに係合する前部凸部１２を蓋本体２側に設けた構成をとることができる。
【００２９】
第１実施形態の炊飯ジャーの蓋１は以上のようなものであり、蓋本体２に内蓋３を取付ける場合は、その両側の後部突片１９、１９を各係合壁付き係合部２４、２４の係合凹所２４ｃに嵌めて係合させ、次に前部突片１８、１８を各位置決め部２３、２３に嵌合させると同時に、前部凸部１２がスライドフック７の後端部の可動係合部１１に係合させる。前部凸部１２はスプリング９の付勢力で後方に押されながら支持される。
【００３０】
内蓋３を上記のように蓋本体２の嵌合凹所２２に取付けた状態で、内蓋３は前部においては前部凸部１２と可動係合部１１との係合、後部においては両側の後部突片１９、１９と係合壁付き係合部２４、２４との係合により蓋本体２に保持される。また、上記のスプリング９の弾性により、後部突片１９、１９の下辺が位置決め基準辺となって前後方向位置決め壁２４ａに押しつけられ、前後方向の位置決めが行われる。
【００３１】
また、左右方向には、各前部突片１８、１８の両側辺が位置決め基準辺となり、左右方向位置決め壁２３ａ、２３ｂで位置決めされる。前述のように、間隔ｂをもった外側辺の位置決め壁２３ａ間で位置決めするようにしてもよい。これらの間隔ａ又はｂは従来の場合の間隔Ａ（図８参照）又は係合壁付き係合部２４、２４の側壁２４ｂ，２４ｂ間の間隔ｃより小さく形成されるので、樹脂成形時の誤差が小さくなり、高い位置決め精度が得られる。
【００３２】
なお、上記の内蓋３を外す際は、取手２１、２１に指を掛け、スプリング９の弾性力に打ち勝って可動係合部１１との係合を外し、次に係合壁付き係合部２４、２４との係合を外すことにより行う。
【００３３】
次に、図５に示した第２実施形態は、前部突片１８を前部の中心上の１ヵ所に設け、その両側にスライドフック７の後端部の可動係合部１１と係合する左右一対の前部凸部１２、１２を設けている。
【００３４】
蓋本体２には、上記の前部突片１８と係合する１ヵ所の位置決め部２３が設けられる。この位置決め部２３の左右の側辺が左右方向位置決め壁２３ａ、２３ｂとなる。その間隔は前述の場合と同じａである。前部凸部１８の両側辺が位置決め基準辺となる。その他の構成及び作用は前述の第１実施形態と同じであるので、同一部分に同一符号を付して示し説明を省略する。
【００３５】
次に、図６に示した第３実施形態は、前述の各実施形態と同様に、蓋本体２の前部にスライドフック７が前後方向にスライド自在に取付けられる。スライドフック７は蓋本体２に内蔵されたスプリング（図示省略）により後退方向に付勢され、その後端部に可動係合部１１が設けられ、内蓋３の前端部に設けられた前部凸部１２（図２、図４参照）が係脱自在に係合される。この前部凸部１２が可動係合部１１に対し係脱する場合のストロークをＳ３  （図２参照）で示す。このストロークＳ３  は、前述の実施形態のストロークＳ１  より大に設定される。
【００３６】
上記の内蓋３の基本的な構成は前述の場合と同じであるが、後部において左右一対の係合突片１８’、１８’が突設される。その大きさ及び形状は前述の前部突片１８、１８と共通している。また、各係合突片１８’、１８’の外側方に取手２１、２１が設けられる。
【００３７】
蓋本体２の内面には、図１に示すように、内蓋３の嵌合凹所２２が設けられ、その嵌合凹所２２の後部内周面に上記の係合突片１８’、１８’と係合される位置決め部兼用の係合壁付き係合部２４、２４が設けられる。
【００３８】
各係合壁付き係合部２４は、両側辺が左右方向位置決め壁２３ａ，２３ｂとなっている。その間隔を図６においてａで示す。内側の位置決め壁２３ｂに位置決め機能をもたせず、両方の外側の位置決め壁２３ａ（両者の間隔をｂで示す。）に位置決め機能を持たせてもよい。また、各係合壁付き係合部２４に係合壁２４’が形成される。その係合壁２４’の高さをＳ４  で示す。この高さＳ４  と前記のストロークＳ３  との関係はＳ４  ＜Ｓ３  の関係に設定される。
【００３９】
なお、係合壁付き係合部２４の内端壁が前後方向位置決め壁２４ａ（図６（ｂ）参照）となる。
【００４０】
第３実施形態の蓋は以上のようなものであり、この場合は内蓋３の前部凸部１２を先に可動係合部１１に係合した後、各係合突片１８’を係合壁付き係合部２４に係合させる。内蓋３の左右方向の位置決めは、前述の場合と同様の位置決め精度を持った間隔ａの左右方向位置決め壁２３ａ、２３ｂ間、又は間隔ｂの左右方向位置決め壁２３ａ間において行われる。
【００４１】
以上の第１から第３実施形態においては、可動係合部１１をいずれもスライドフック７の後端部に設けたものを示しているが、可動係合部１１の構成はこれに限られない。例えば、図７に示したように、蓋本体２に固定フック７ａと揺動フック７ｂを設け、固定フック７ａをジャー本体５のフックレバー８に係合させ、揺動フック７ｂを内蓋３の前部凸部１２に係合させる構成を採ることができる。揺動フック７ｂはスプリング７ｃにより内方へ付勢され、内蓋３を着脱自在に支持する。この場合の、揺動フック７ｂに対する前部凸部１２の係脱に必要なストロークは、前述のＳ１  又はＳ３  に設定される。
【００４２】
【発明の効果】
以上のように、この発明は、蓋本体に設けた内蓋との嵌合凹所の内周面に内蓋を係合する前後２ヵ所の係合部を設け、その各係合部に内蓋を係合する際の順位に先後を定めた炊飯器の蓋において、上記内蓋の左右方向位置決め部を係合の順位が先になる係合部以外の嵌合凹所内周面に設けたことにより、内蓋を蓋本体に係合させる際の操作性を考慮することなく狭い間隔、即ち成形精度の高い間隔で左右方向位置決め部を設けることができる。このため、内蓋の左右方向の位置決め精度が向上する。
【図面の簡単な説明】
【図１】第１実施形態の分解斜視図
【図２】同上の蓋の底面図
【図３】同上の一部断面図
【図４】同上の内蓋の一部省略拡大断面図
【図５】第２実施形態の蓋の底面図
【図６】（ａ）第３実施形態の蓋の底面図
（ｂ）（ａ）図のｂ−ｂ線の断面図
【図７】可動係合部の変形例の一部断面図
【図８】（ａ）従来例の蓋部分の底面図
（ｂ）同上の一部省略断面図
【符号の説明】
１  蓋
２  蓋本体
３  内蓋
４  ヒンジ
５  ジャー本体
６  鍋
７  スライドフック
７ａ  固定フック
７ｂ  揺動フック
７ｃ  スプリング
８  フックレバー
９  スプリング
１１  可動係合部
１２  前部凸部
１３  蓋ヒーター
１４  放熱板
１５  シール部材
１６  放熱板リング
１７  フランジ
１８  前部突片
１８’  係合片
１９  後部突片
２０  切欠き辺
２０’  直線部
２１  取手
２２  嵌合凹所
２３  位置決め部
２３ａ、２３ｂ  左右方向位置決め壁
２４  係合壁付き係合部
２４ａ  前後方向位置決め壁
２４ｂ  側壁
２４ｃ  係合凹所
２４’  係合壁
２５  凹所
３１  蓋本体
３２  内蓋
３３  スライドフック
３５  プリング
３６  可動係合部
３７  前端凸部
３８  フックレバー
３９  係合壁
４０  嵌合凹所
４１  前後方向位置決め壁
４１’  位置決め基準辺
４２  左右方向位置決め壁
４２’  位置決め基準辺
４３  後部凸部
４４  係合壁付き係合部
４５  鍋
【図１】
0003592611.tif 000002
【図２】
0003592611.tif 000003
【図３】
0003592611.tif 000004
【図４】
0003592611.tif 000005
【図５】
0003592611.tif 000006
【図６】
0003592611.tif 000007
【図７】
0003592611.tif 000008
【図８】
0003592611.tif 000009